(57)【要約】【課題】印刷対象が変わる度に連続記録媒体を交換するものと比較して、連続記録媒体の交換回数を少なくすることができる情報処理装置、画像形成装置及びプログラムを提供する。【解決手段】情報処理装置１０は、印刷対象を受け付ける印刷対象受付手段と、前記印刷対象受付手段が要求仕様の異なる複数の印刷対象を受け付けた場合、一つの連続記録媒体により印刷するように制御する制御手段と、有する。【選択図】図１
2019153116.tif 000002
【特許請求の範囲】
【請求項１】
印刷対象を受け付ける印刷対象受付手段と、
前記印刷対象受付手段が要求仕様の異なる複数の印刷対象を受け付けた場合、一つの連続記録媒体により印刷するように制御する制御手段と、
を有する情報処理装置。
【請求項２】
前記印刷対象受付手段が要求仕様の異なる複数の印刷対象を受け付けた場合、一つの連続記録媒体により印刷するか、連続記録媒体を交換して印刷するかの選択を受け付ける選択受付手段をさらに有する請求項１記載の情報処理装置。
【請求項３】
前記印刷対象受付手段が要求仕様の異なる複数の印刷対象を受け付けた場合、一つの連続記録媒体により印刷するときと、連続記録媒体を交換して印刷するときとでいずれが有利であるかを提示する提示手段をさらに有する請求項１又は２記載の情報処理装置。
【請求項４】
前記提示手段は、一つの連続記録媒体により印刷するときと、連続記録媒体を交換して印刷するときとで、処理に要する費用をそれぞれ提示する請求項３記載の情報処理装置。
【請求項５】
前記提示手段は、一つの連続記録媒体により印刷するときと、連続記録媒体を交換して印刷するときとで、処理に要する時間をそれぞれ提示する請求項３又は４記載の情報処理装置。
【請求項６】
前記提示手段は、一つの連続記録媒体により印刷するときと、連続記録媒体を交換して印刷するときとで、処理に要する損紙率をそれぞれ提示する請求項３から５いずれか記載の情報処理装置。
【請求項７】
印刷対象を受け付ける印刷対象受付手段と、
前記印刷対象受付手段により受け付けた印刷対象を印刷する印刷手段と、
連続記録媒体の交換が可能であって、前記印刷手段に連続記録媒体を供給する連続記録媒体供給手段と、
前記印刷対象受付手段が要求仕様の異なる複数の印刷対象を受け付けた場合、一つの連続記録媒体により印刷するように制御する制御手段と、
を有する画像形成装置。
【請求項８】
印刷対象を受け付けるステップと、
要求仕様の異なる複数の印刷対象を受け付けた場合、一つの連続記録媒体により印刷するように制御するステップと、
を有するコンピュータに実行させるためのプログラム。
【請求項９】
印刷対象を受け付けるステップと、
受け付けた印刷対象を印刷するステップと、
連続記録媒体の交換が可能であって、前記印刷手段に連続記録媒体を供給するステップと、
要求仕様の異なる複数の印刷対象を受け付けた場合、一つの連続記録媒体により印刷するように制御するステップと、
を有するプログラム。
【発明の詳細な説明】
【技術分野】
【０００１】
本発明は、情報処理装置、画像形成装置及びプログラムに関する。
【背景技術】
【０００２】
特許文献１は、顧客からの条件に基づいて複数の種類の工程からなる印刷物を生産するためのワークフローを構築し、該顧客からの印刷物の生産の注文を受注する印刷受注装置を開示する。
【先行技術文献】
【特許文献】
【０００３】
【特許文献１】特許第４７２０６６９号公報
【発明の概要】
【発明が解決しようとする課題】
【０００４】
ところで、画像形成装置として、連続記録媒体を用いたものがある。連続記録媒体とは、ロール状に形成された記録媒体の供給部から記録媒体を連続的に供給して画像を形成するようにしたものである。連続記録媒体により印刷する場合、複数の印刷対象を受け付けると、印刷対象における印刷物の幅等が異なるため、連続記録媒体を交換しなければならない。
なお、印刷対象とは一般にジョブと呼ばれ、単数又は複数頁を印刷させるための一連の電子データである。
【０００５】
本発明は、印刷対象が変わる度に連続記録媒体を交換するものと比較して、連続記録媒体の交換回数を少なくすることができる情報処理装置、画像形成装置及びプログラムを提供することを目的としている。
【課題を解決するための手段】
【０００６】
請求項１に係る本発明は、印刷対象を受け付ける印刷対象受付手段と、前記印刷対象受付手段が要求仕様の異なる複数の印刷対象を受け付けた場合、一つの連続記録媒体により印刷するように制御する制御手段と、を有する情報処理装置である。
【０００７】
請求項２に係る本発明は、前記印刷対象受付手段が要求仕様の異なる複数の印刷対象を受け付けた場合、一つの連続記録媒体により印刷するか、連続記録媒体を交換して印刷するかの選択を受け付ける選択受付手段をさらに有する請求項１記載の情報処理装置である。
【０００８】
請求項３に係る本発明は、前記印刷対象受付手段が要求仕様の異なる複数の印刷対象を受け付けた場合、一つの連続記録媒体により印刷するときと、連続記録媒体を交換して印刷するときとでいずれが有利であるかを提示する提示手段をさらに有する請求項１又は２記載の情報処理装置である。
【０００９】
請求項４に係る本発明は、前記提示手段は、一つの連続記録媒体により印刷するときと、連続記録媒体を交換して印刷するときとで、処理に要する費用をそれぞれ提示する請求項３記載の情報処理装置である。
【００１０】
請求項５に係る本発明は、前記提示手段は、一つの連続記録媒体により印刷するときと、連続記録媒体を交換して印刷するときとで、処理に要する時間をそれぞれ提示する請求項３又は４記載の情報処理装置ある。
【００１１】
請求項６に係る本発明は、前記提示手段は、一つの連続記録媒体により印刷するときと、連続記録媒体を交換して印刷するときとで、処理に要する損紙率をそれぞれ提示する請求項３から５いずれか記載の情報処理装置である。
なお、損紙率とは、連続記録媒体全体に対して無駄になる領域の割合である。
【００１２】
請求項７に係る本発明は、印刷対象を受け付ける印刷対象受付手段と、前記印刷対象受付手段により受け付けた印刷対象を印刷する印刷手段と、連続記録媒体の交換が可能であって、前記印刷手段に連続記録媒体を供給する連続記録媒体供給手段と、前記印刷対象受付手段が要求仕様の異なる複数の印刷対象を受け付けた場合、一つの連続記録媒体により印刷するように制御する制御手段と、を有する画像形成装置である。
【００１３】
請求項８に係る本発明は、印刷対象を受け付けるステップと、要求仕様の異なる複数の印刷対象を受け付けた場合、一つの連続記録媒体により印刷するように制御するステップと、を有するコンピュータに実行させるためのプログラムである。
【００１４】
請求項９に係る本発明は、印刷対象を受け付けるステップと、受け付けた印刷対象を印刷するステップと、連続記録媒体の交換が可能であって、前記印刷手段に連続記録媒体を供給するステップと、要求仕様の異なる複数の印刷対象を受け付けた場合、一つの連続記録媒体により印刷するように制御するステップと、を有するプログラムである。
【発明の効果】
【００１５】
請求項１、請求項７〜９いずれかに係る本発明によれば、印刷対象が変わる度に連続記録媒体を交換するものと比較して、連続記録媒体の交換回数を少なくすることができる。
【００１６】
請求項２に係る本発明によれば、請求項１に係る本発明の効果に加えて、ユーザの意思を反映することができる。
なお、ここで、「ユーザ」とは、印刷する者のみならず、印刷業者に印刷を依頼する者も含まれる。
【００１７】
請求項３に係る本発明によれば、請求項１又は２に係る本発明の効果に加えて、ユーザに対してどれが有利かを提示することができる。
【００１８】
請求項４に係る本発明によれば、請求項３に係る本発明の効果に加えて、費用に関する優位性を提示することができる。
【００１９】
請求項５に係る本発明によれば、請求項３又は４に係る発明の効果に加えて、時間に関する優位性を提示することができる。
【００２０】
請求項６に係る本発明によれば、請求項３から５いずれかに係る発明の効果に加えて、損紙率に関する優位性を提示することができる。
【図面の簡単な説明】
【００２１】
【図１】本発明の実施形態に係る画像形成装置を示す構成図である。
【図２】本発明の実施形態に用いた加工部を示す概略図である。
【図３】本発明実施形態に用いた連続記録媒体の構造を示す斜視図である。
【図４】本発明の実施形態に係る情報処理装置のハードウエアを示すブロック図である。
【図５】本発明の実施形態におけ掛け替え選択のパターンを示す概略図である。
【図６】本発明の第実施形態における制御フローを示すフローチャートである。
【図７】本発明の実施形態におけるステップＳ１４の詳細を示すフローチャートである。
【発明を実施するための形態】
【００２２】
次に、本発明の実施の形態について図面を参照して詳細に説明する。
図１は、本発明の実施形態に係る画像形成装置１０を示す。
画像形成装置１０は、情報処理装置１２と、この情報処理装置１２に接続された画像形成装置本体１４とを有する。
【００２３】
情報処置装置１２はサーバであり、例えばインターネット等のネットワーク１６を介してパーソナルコンピュータである印刷注文装置１８ａ，１８ｂに接続されている。
【００２４】
画像形成装置本体１４は、記録媒体供給部２０、印刷部２２、加工部２４及び記録媒体収納部２６を有する。
【００２５】
記録媒体供給部１８は、連続記録媒体（ロール紙）を印刷部２２に供給する。また、記録媒体収納部２５は、印刷部２２で印刷され、加工部２４で加工された記録媒体を収納する。この実施形態においては、画像形成装置本体１４は、ラベル印刷機であり、図２に示すように、記録媒体２６は、例えば剥離紙２８、粘着剤３０及び表面基材３２が張り合わされて構成されている。画像形成装置本体１４は、情報処理装置１２からジョブが送られると、ジョブに対応したラベルを連続的に印刷する。
【００２６】
記録媒体供給部１８と記録媒体収納部２５との間に掛けられる連続記録媒体は、素材や幅により掛け変えられる。
【００２７】
印刷部２２は、例えばゼログラフィ―方式で、シアン、マゼンダ、イエロー及び黒のトナーを用いて記録媒体に画像を形成するようになっている。この印刷部２２においては、情報処置装置１２から送られたラベル用画像を前述した連続記録媒体２６の表面基材３２に印刷する。
【００２８】
加工部２４は、画像形成された連続記録媒体に加工を施すようになっており、この実施形態においては、図３にも示すように、抜き部３４及びカス上げ部３６から構成されている。
【００２９】
抜き部３４は、記録媒体２６の表面基材３２に印刷されたラベル画像の周囲であって、剥離紙２８を除いた部分について、切断機３８を用いて切断する。切断機３８は、物理的な刃型を用いて切断しても良いし、レーザを用いて切断しても良い。カス上げ部３６は、抜き部３４において切断されたラベル画像の周囲を巻き取り、ラベル画像を記録媒体に残すようになっている。
なお、切断機３８による切断の大きさは、例えば刃型を交換してジョブ毎にラベル画像に対応して調整される。
【００３０】
情報処理装置１２は、図４に示すように、ＣＰＵ４０、メモリ４２、ユーザインターフェイス４４及び通信インターフェイス４６を有し、これらが制御バス４８を介して接続されている。
【００３１】
ＣＰＵ４０は、メモリ４２に格納された制御プログラムに基づいて予め定められた処理を実行する。ユーザインターフェイス４６は、操作表示部５０（図１に示す）に接続され、操作を受け入れ、計算結果を表示するようになっている。通信インターフェイス４６は、画像形成装置本体１４及びネットワーク１６との間でデータを送受信する。
【００３２】
ところで、オンデマンドのラベル印刷（印刷注文装置１８ａ，１８ｂから直接印刷注文を出し、画像形成装置本体１４により直接印刷すること）の場合、印刷注文装置１８ａ，１８ｂからのジョブを計画的に印刷することが考えられる。
一方、印刷注文装置１８ａ，１８ｂから印刷注文するユーザは、様々な要求が出される。例えば安く印刷したい、速く印刷したい、損紙率（連続記録媒体のラベル以外の領域の割合）を低くしたい等である。
特に連続記録媒体の掛け替えは、時間が最もかかり、ユーザの要望に大きな影響を与える。
【００３３】
図５は、ユーザからの要望に対応したパターンの例を示す。
ここで、Ｊｏｂｎ＋３〜Ｊｏｂｎ＋７までのジョブがあり、それぞれを連続記録媒体の種類（素材）と幅でグループ化し、パターンを形成してある。
【００３４】
図５（ａ）は、基準パターンを示す。まず素材Ａと素材Ｂとによりグループが分かれる。また、用いられる連続記録媒体の幅Ａ１、Ａ２、Ｂ１、Ｂ２によりグループが分かれる。Ｊｏｂｎ＋３とＪｏｂｎ＋４は、素材がＡであり、幅Ａ１の連続記録媒体が用いられる第１の処理として仕分けられる。この第１の処理が終了すると、素材がＡであり、幅がＡ２の連続記録媒体に掛け替えられ、Ｊｏｂｎ＋２が第２の処理として仕分けられる。この第２の処理が終了すると、素材がＢであり、幅がＢ１の連続記録媒体に掛け替えられ、Ｊｏｂｎ＋５が第３の処理として仕分けられる。この第３の処理が終了すると、素材がＢであり、幅がＢ２の連続記録媒体に掛け替えられ、Ｊｏｂｎ＋６とＪｏｂｎ＋７が第４の処理として仕分けられる。
この基準パターンにおいては、他のパターンと比較して損紙率が低くなる。
【００３５】
図５（ｂ）は、コスト優先パターンを示す。前述した基準パターンにおいては、Ｊｏｂｎ＋３とＪｏｂｎ＋４を第１の処理としてＪｏｂｎ＋４の処理が終了した時点で連続記録媒体の掛け替えを行うようにしたが、このコスト優先パターンにおいては、掛け替えレスとしており、ｊｏｂｎ＋３、Ｊｏｂｎ＋４及びＪｏｂｎ＋２を、素材がＡであり、幅Ａ１の連続記録媒体を用いるようにする。基準パターンと比較すると、掛け替えに要する作業者の人件費分安くなる。
【００３６】
図５（ｃ）は、速度優先パターンを示す。前述したコスト優先パターンにおいては、Ｊｏｂｎ＋５を第２の処理としてＪｏｂｎ＋５の処理が終了した時点で連続記録媒体の掛け替えを行うようにしたが、この速度優先パターンにおいては、掛け替えレスとしており、ｊｏｂｎ＋５、Ｊｏｂｎ＋６及びＪｏｂｎ＋７を、素材がＢであり、幅Ｂ１の連続記録媒体を用いるようにする。基準パターン及びコスト優先パターンと比較すると、掛け替えに要する回数が少なくなる分処理時間が少なくなる。
【００３７】
次に上述した情報処理装置１２の制御フローについて説明する。
図６は、情報処理装置１２のＣＰＵ４０による制御フローを示すフローチャートである。
【００３８】
まずステップＳ１０において、予め定められた期間のジョブリストを受け付ける。予め定められた期間とは、例えば一週間である。
【００３９】
次のステップＳ１２においては、ステップＳ１０において受け付けたジョブリストから連続記録媒体の種類及び幅でソートし、グループ化を行う。
【００４０】
次のステップＳ１４においては、後述するようにシミュレーションを実施する。
【００４１】
次のステップＳ１６においては、作業者がジョブの組み合わせを選択する。
【００４２】
次のステップＳ１８においては、ステップＳ１６において作業者が組み合わせたジョブのグループ内で刃型別サブグループ（切断機３８の刃型により切断されるラベルの大きさ別ジョブのグループ）に割り付ける。
【００４３】
ステップＳ１６で選択され、ステップＳ１８でサブグループに割り付けられたジョブの組み合わせを例えば操作表示部５０に表示し、作業者が最終確認し、処理を終了する。
【００４４】
次にステップＳ１４におけるシミュレーションについて具体例と共に詳述する。
まず前提となるパラメータについて説明する。
【００４５】
Ｐｒ：連続記録媒体の１ｍ当たりの単価であり、連続記録媒体の種類及び幅で定まる。連続記録媒体の種類及び幅が特定されている場合は、Ｐｒ（記録媒体種類、幅）とする。
Ｌ：使用する連続記録媒体の長さである。ｎ番目のジョブに使用する連続記録媒体の長さはＬｎとする。
したがって、ｎ番目のジョブの連続記録媒体の費用（コスト）は、Ｐｒ（記録媒体種類、幅）×Ｌｎとなる。
【００４６】
Ｔ：印刷に要する時間である。ｎ番目のジョブの印刷時間はＴｎとする。
Ｖ：画像形成装置本体の単位時間当たりの印刷スピードである。
したがって、ｎ番目のジョブ連続記録媒体の印刷時間Ｔｎ＝Ｌｎ×Ｖとなる。
【００４７】
Ｐｊ：一つの連続記録媒体から仕様が異なる他の連続記録媒体に掛け替える工数である。作業時間は熟練度が低い場合は長く、熟練度が進みに連れて一定値に収束する。ｍ番目の連続記録媒体の掛け替えの工数をＰｊ（作業者）ｍとする。
【００４８】
Ｐｃ：掛け替え工数に該作業者の時間当たりの人件費を掛け合わせたものである。ｍ番目の連続記録媒体の掛け替えに要する人件費はＰｃ（作業者）ｍとする。ｍ番目の連続記録媒体の掛け替えコストはＰｃ（作業者）ｍ×Ｐｊ（作業者）ｍとなる。
【００４９】
以上の定義からコスト合計は次の式（１）により求められる。
【数１】
2019153116.tif 000003
【００５０】
また、印刷時間の合計は式（２）により求められる。
【数２】
2019153116.tif 000004
【００５１】
図７は、前述したステップＳ１４におけるシミュレーションの詳細のフローを示す。
【００５２】
まずステップＳ３０において、ユーザが基準を設定した場合には、図５（ａ）で示した基準パターンのコスト合計及び印刷時間合計を算出する。
【００５３】
ここでは、さらに具体例について説明する。
次のようなジョブを印刷する場合を考える。
ジョブ１：連続記録媒体の種類Ａ、幅１００ｍｍ、ラバル当たりの使用長さ６０ｍｍ（ラベル間の幅１０ｍｍを含む）、印刷ラベル１０００枚、Ｐｒ（記録媒体Ａ，１００ｍｍ）＝５０円
ジョブ２：連続記録媒体の種類Ａ、幅２００ｍｍ、ラバル当たりの使用長さ６０ｍｍ（ラベル間の幅１０ｍｍを含む）、印刷ラベル３００枚、Ｐｒ（記録媒体Ａ，２００ｍｍ）＝７５円
ジョブ３：連続記録媒体の種類Ａ、幅３００ｍｍ、ラバル当たりの使用長さ６０ｍｍ（ラベル間の幅１０ｍｍが別途必要）、印刷ラベル２０００枚、Ｐｒ（記録媒体Ａ，３００ｍｍ）＝９０円
【００５４】
また、掛け替え工数Ｐｊは２０分とし、一作業者のコストは２０００円/時間である。このため、１掛け替え当たりのコストは６６６円となる。
【００５５】
また、画像形成装置本体の印刷スピードＶは５００ｍｍ/秒である。
この基準パターンにおいては、使用するジョブの画像の幅が異なる毎に連続記録媒体を掛け替えるので、連続記録媒体の掛け替え数は２である。
【００５６】
以上の数値を式（１）に代入すると、
コスト合計＝[５０円×（６０ｍｍ＋１０ｍｍ）/１０００ｍｍ]×１０００枚
＋[７５円×（６０ｍｍ＋１０ｍｍ）/１０００ｍｍ]×３００枚
＋[９０円×（６０ｍｍ＋１０ｍｍ）/１０００ｍｍ]×２０００枚
＋２０００円×２０/６０分×２
＝３５００＋１５７５＋１２６００＋１３８３
＝１９００８円
【００５７】
また、式（２）に代入すると、
印刷時間合計＝（６０ｍｍ＋１０ｍｍ）/５００ｍｍ/ｓ×１０００枚
＋（６０ｍｍ＋１０ｍｍ）/５００ｍｍ]×３００枚
＋（６０ｍｍ＋１０ｍｍ）/５００ｍｍ]×２０００枚
＋２０分×６０秒×２
＝１４０＋４２＋２８０＋２４００
＝２８６２秒
【００５８】
図７に戻り、コスト優先の場合はステップＳ３２に進み、このステップＳ３２においては、ジョブ毎の印刷コストが掛け替えコストを下回るパターンを特定する。この特定を行うには複数の組み合わせを考慮しなければならない場合がある。
【００５９】
上記例においては次のパターンが考えられる。
パターン１：ジョブ２の２００ｍｍ幅ラベルを３００ｍｍ幅の連続記録媒体により形成し、掛け替えを１回無くし、ジョブ２とジョブ３とを３００ｍｍ連続記録媒体により行う。
パターン２：ジョブ１の１００ｍｍ幅ラベルを２００ｍｍ幅の連続記録媒体により形成し、掛け替えを１回無くし、ジョブ１とジョブ２とを２００ｍｍ連続記録媒体により行う。
パターン３：ジョブ１の１００ｍｍ幅ラベルを３００ｍｍ幅の連続記録媒体により形成し、掛け替えを１回無くし、ジョブ１とジョブ３とを３００ｍｍ連続記録媒体により行う。
【００６０】
それぞれのパターンについて、費用的に優位か否かを検証する。
パターン１の場合
６６６円（１掛け当たりのコスト）/[６．３円（３００ｍｍ幅の連続記録媒体の１ラベル形成当たりの単価）−５．２５円（２００ｍｍ幅の連続記録媒体の１ラベル形成当たりの単価）]＝６３４．３枚
即ち、ジョブ２のラベル枚数が６３４枚以下であれば、パターン１は基準パターンよりも安くなる。
【００６１】
パターン２の場合
６６６円（１掛け当たりのコスト）/[５．２５円（２００ｍｍ幅の連続記録媒体の１ラベル形成当たりの単価）−３．５円（１００ｍｍ幅の連続記録媒体の１ラベル形成当たりの単価）]＝３８０．６枚
即ち、ジョブ１のラベル枚数が３８０枚以下であれば、パターン２は基準パターンよりも安くなる。
【００６２】
パターン３の場合
６６６円（１掛け当たりのコスト）/[６．３円（３００ｍｍ幅の連続記録媒体の１ラベル形成当たりの単価）−３．５円（１００ｍｍ幅の連続記録媒体の１ラベル形成当たりの単価）]＝２３７．９枚
即ち、ジョブ１のラベル枚数が２３７枚以下であれば、パターン３は基準パターンよりも安くなる。
以上の検証からパターン（１）のみが基準パターンよりも安くなるので、パターン（１）が特定される。
【００６３】
次のステップＳ３４においては、ステップＳ３２において特定されたパターンに基準パターンから変更されたジョブを割り付ける。ここではパターン（１）として各ジョブが割り付けられる。
【００６４】
次のステップＳ３６においては、ステップＳ３４において割り付けられたジョブに対するコストの合計及び印刷時間の合計を算出する。
【００６５】
パターン１の数値を式（１）に代入すると、
コスト合計＝[５０円×（６０ｍｍ＋１０ｍｍ）/１０００ｍｍ]×１０００枚
＋[９０円×（６０ｍｍ＋１０ｍｍ）/１０００ｍｍ]×２３００枚
＋２０００円×２０/６０分×１
＝３５００＋１４４９０＋６６６
＝１８６５６円
したがって、基準パターンと比較すると、３５２円削減できることになる。
【００６６】
また、式（２）に代入すると、
印刷時間合計＝（６０ｍｍ＋１０ｍｍ）/５００ｍｍ/ｓ×１０００枚
＋（６０ｍｍ＋１０ｍｍ）/５００ｍｍ]×２３００枚
＋２０分×６０秒×１
＝１４０＋３２２＋１２００
＝１６６２秒
したがって、基準パターンと比較すると、１２００秒早く印刷できることになる。
【００６７】
速度優先の場合は、掛け替えを０にして全てのジョブを３００ｍｍ幅の連続記録媒体で印刷すればよいので、ステップＳ３８において、同様にして次のようにコスト及び印刷時間が算出される。
【００６８】
コスト合計＝[９０円×（６０ｍｍ＋１０ｍｍ）/１０００ｍｍ]×２３００枚
＋２０００円×２０/６０分×０
＝２０７９０＋０
＝２０７９０円
したがって、基準パターンと比較すると、１７８２円増加することになる。
【００６９】
印刷時間合計＝（６０ｍｍ＋１０ｍｍ）/５００ｍｍ]×３３００枚
＋２０分×６０秒×０
＝４６２秒
したがって、基準パターンと比較すると、２４００秒速くなる。
【００７０】
次のステップＳ４０においては、ステップＳ３０で算出した基準設定の場合のコスト合計及び印刷時間合計、ステップＳ３６で算出したコスト優先の場合のコスト合計及び印刷時間合計並びにステップＳ３８において算出した速度優先の場合のコスト合計及び印刷時間合計を例えば前述した印刷注文装置１８ａ，１８ｂに表示するように送信し、ユーザに対していずれを選択するべきかを提示する。
【００７１】
なお、ユーザへの提示は、それぞれの場合の数値を示してもよいし、基準設定との差を示してもよい。また、数値ではなく、グラフ等であってもよい。また、費用や速度ばかりではなく、損紙率を算出して提示するようにしてもよい。
【００７２】
また、上記実施形態においては、画像形成装置本体はラベル印刷機として説明したが、本発明はラベル印刷機に限らず、連続記録媒体に画像を形成するものであればよい。例えば新聞紙と、この新聞紙とは異なる大きさの広告紙とを１つに連続記録媒体により形成するようにしてもよい。
【符号の説明】
【００７３】
１０    画像形成装置
１２    情報処理装置
１４    画像形成装置本体
１６    画像検査装置
２０    記録媒体供給部
２２    画像形成部
２４    加工部
２５    記録媒体収納部
２６    連続記録媒体
３８    切断機
４０    ＣＰＵ
４２    メモリ
【図１】
2019153116.tif 000005
【図２】
2019153116.tif 000006
【図３】
2019153116.tif 000007
【図４】
2019153116.tif 000008
【図５】
2019153116.tif 000009
【図６】
2019153116.tif 000010
【図７】
2019153116.tif 000011